(57)【要約】      （修正有）【課題】強固な構造体によって支持された新たな居室構造を提供する。【解決手段】アウターフレーム１１の内部空間１２に居室１３が配置される。アウターフレーム１１は、２つの矩形フレーム部２１が平面視Ｘ字状に組み合わされたクロスフレーム構造体２２を備える。矩形フレーム部２１は、天側パイプ２３と、床側パイプ２４と、縦パイプ２５とを備えた正面視４角形をなす。天側パイプ２３の下方に屋根パネル５２が支持され、床側パイプ２４の上方に床パネル５３が支持され、必要に応じて両パネル５２、５３の間に壁パネル５４が配置される。【選択図】図３
2016180265.tif 000002
【特許請求の範囲】
【請求項１】
アウターフレームと居室形成部材とを備え、
前記アウターフレームは、２つの矩形フレーム部が平面視Ｘ字状に組み合わされたクロスフレーム構造体を備え、
前記矩形フレーム部は、天側パイプと、床側パイプと、前記床側パイプの上方に前記天側パイプを支持する縦パイプとを備えた正面視４角形の形状をなし、
前記クロスフレーム構造体により外縁が規定される内部空間に、前記居室形成部材によって構成された居室が配置され、
前記居室形成部材は、前記アウターフレームによって支持される屋根パネルと床パネルとを備え、
前記屋根パネルは、前記天側パイプの下方に支持され、
前記床パネルは、前記床側パイプの上方に支持されていることを特徴とするクロスフレームを用いた居室構造。
【請求項２】
アウターフレームと居室形成部材とを備え、
アウターフレームは、天側パイプと、床側パイプと、前記床側パイプの上方に前記天側パイプを支持する縦パイプとを備え、
前記床側パイプと前記天側パイプとは、それぞれ平面視で放射状に伸びるように組み合わされ、
前記居室形成部材は、前記アウターフレームによって支持される屋根パネルと床パネルとを備え、
前記屋根パネルは、前記天側パイプの下方に支持され、
前記床パネルは、前記床側パイプの上方に支持され、
前記居室形成部材の外側に、アウターフレームが露出していることを特徴とするクロスフレームを用いた居室構造。
【請求項３】
前記アウターフレームは、複数のパイプを同一平面上で放射状に接続する放射状接続部を備え、
前記放射状接続部は、前記アウターフレームの平面視中央にて、天側と床側との上下に２つが配置され、
複数の前記天側パイプが天側の前記放射状接続部によって、同一平面上に配置接続され、
複数の前記床側パイプが床側の前記放射状接続部によって、同一平面上に配置接続されていることを特徴とする請求項１又は２に記載のクロスフレームを用いた居室構造。
【請求項４】
前記居室形成部材は、前記屋根パネルと前記床パネルとの間に配置された壁パネルを有し、
前記壁パネルは前記屋根パネルと前記床パネルとの少なくとも何れか一方に支持され、前記アウターフレームに支持されていないことを特徴とする請求項１〜３の何れかに記載のクロスフレームを用いた居室構造。
【請求項５】
複数のパイプを備えたアウターフレームであって、
前記アウターフレームは、２つの矩形フレーム部が平面視Ｘ字状に組み合わされたクロスフレーム構造体を備え、
前記矩形フレーム部は、天側パイプと、床側パイプと、前記床側パイプの上方に前記天側パイプを支持する縦パイプとを備えた正面視４角形の形状をなし、
前記クロスフレーム構造体により外縁が規定される内部空間に、居室形成部材によって構成される居室を配置することができ、
前記アウターフレームは、前記居室の屋根を構成する屋根パネルを支持する屋根支持部と、前記居室の床を構成する床パネルを支持する床支持部とを備え、
前記屋根支持部は、前記屋根パネルを前記天側パイプの下方に配置した状態で支持するものであり、
前記床支持部は、前記床パネルを前記床側パイプの上方に配置した状態で支持するものであることを特徴とするクロスフレームを用いた居室構造用のアウターフレーム。
【発明の詳細な説明】
【技術分野】
【０００１】
本発明は、屋外に簡易な居室を構築することができる居室構造と、この居室構造に用いるアウターフレームに関するものである。
【背景技術】
【０００２】
売店等の居室の外側に、フレームを配置した居室構造としては、特許文献１〜５に示すものなどが知られている。ところが、フレーム構造が複雑であったり、デザインの自由度が小さかったり、設置工事が大がかりであったりするなどの課題を有するものであった。
【先行技術文献】
【特許文献】
【０００３】
【特許文献１】特許第５３１７４４６号公報
【特許文献２】特公昭６３−３７２２７号公報
【特許文献３】実開昭６４−３６４６３号公報
【特許文献４】特許５５５２５５６号公報
【特許文献５】特開平６−６６０３６号公報
【発明の概要】
【発明が解決しようとする課題】
【０００４】
本発明は、強固な構造体によって支持された新たな居室構造の提供を課題とする。
【課題を解決するための手段】
【０００５】
アウターフレームと居室形成部材とを備えた居室構造に関して、次の提案をなす。
本発明にあっては、アウターフレームは、２つの矩形フレーム部が平面視Ｘ字状に組み合わされたクロスフレーム構造体を備えるものである。このように矩形フレーム部を平面視Ｘ字状に組み合わせることによって、強固な構造体を提供できる。
【０００６】
なお、本発明においてクロスフレーム構造体とは、複数本のフレームが交差した形状を有する構造体を意味し、その交差は同一平面上に全フレームが配置されているものであっても、上下に異なる位置に各フレームが配置されているものであってもよく、また、中央から複数本のフレームが放射状に伸びているものであってもよい。
【０００７】
前記矩形フレーム部は、天側パイプと、床側パイプと、前記床側パイプの上方に前記天側パイプを支持する縦パイプとを備えた正面視４角形の形状をなし、前記クロスフレーム構造体により外縁が規定される内部空間に、前記居室形成部材によって構成された居室が配置される。前記居室形成部材は、前記アウターフレームによって支持される屋根パネルと床パネルとを備え、前記屋根パネルは、前記天側パイプの下方に支持され、前記床パネルは、前記床側パイプの上方に支持される。従って、特異なクロスフレーム構造体の内側空間に、居室が配置された斬新なデザインの居室構造を提供することができる。また、屋根パネルが天側パイプの下方に支持されるため、壁パネルを設ける場合には、壁パネルをアウターフレームに支持させることも可能であるが、支持させないことも可能である。このように、壁パネルの設置構造に自由度が高く、床パネルを屋根パネルと床パネルとの間に自由に設置することができる。また、壁パネルを用いることなく、側面が全て開放された自由で開放的な居室空間を設けることも可能となる。施工に際しては、クロスフレーム構造体を設置し、屋根パネルと床パネルとを上下に配置するだけで、基本構造が完成するため、簡便な施工が実現する。
【０００８】
本発明の上記の居室構造は、次のように規定することもできる。即ち、アウターフレームは、天側パイプと、床側パイプと、前記床側パイプの上方に前記天側パイプを支持する縦パイプとを備え、前記床側パイプと前記天側パイプとは、それぞれ平面視で放射状に伸びるように組み合わされたものとする。従って、パイプは、放射状に伸びるものであればよく、その本数は４本に限るものではない。そして、居室形成部材は、前記アウターフレームによって支持される屋根パネルと床パネルとを備え、前記屋根パネルは、前記天側パイプの下側に支持され、
前記床パネルは、前記床側フレーム部の上側に支持され、前記居室形成部材の外側に、アウターフレームが露出しているものとすることができる。
【０００９】
また、本発明の居室構造にあっては、複数のパイプを同一平面上で放射状に接続する放射状接続部を用いて、実施することができる。これによって、複数の前記天側パイプを、同一平面上に配置接続することができ、同様に、複数の前記床側パイプを、同一平面上に配置接続することができる。これによって、屋根パネルと床パネルとを、シンプルな構造で安定して支持することができる。
【００１０】
また、本発明は、複数のパイプを備えたアウターフレームであって、前記アウターフレームは、２つの矩形フレーム部が平面視Ｘ字状に組み合わされたクロスフレーム構造体を備え、前記矩形フレーム部は、天側パイプと、床側パイプと、前記床側パイプの上方に前記天側パイプを支持する縦パイプとを備えた正面視４角形の形状をなし、前記クロスフレーム構造体により外縁が規定される内部空間に、居室形成部材によって構成される居室を配置することができ、前記アウターフレームは、前記居室の屋根を構成する屋根パネルを支持する屋根支持部と、前記居室の床を構成する床パネルを支持する床支持部とを備え、前記屋根支持部は、前記屋根パネルを前記天側パイプの下方に配置した状態で支持するものであり、前記床支持部は、前記床パネルを前記床フレーム部の上方に配置した状態で支持するものであることを特徴とするものを提供するものである。
【発明の効果】
【００１１】
本発明は、アウターフレームを構成するパイプが、平面視Ｘ字状若しくは放射状に組み合わされたクロスフレーム構造体を備えるものであり、強固な構造体を提供できる。
また、本発明は、特異なクロスフレーム構造体の内側空間に、居室が配置された斬新なデザインの居室構造を提供することができる。
【００１２】
また、屋根パネルが天側パイプの下方に支持されるため、屋根パネルと床パネルとの間の設計の自由度が高い居室構造を提供することができるものである。
さらにまた、本発明の居室構造の施工に際しては、クロスフレーム構造体を設置し、屋根パネルと床パネルとを上下に配置するだけで、基本構造が完成するため、簡便な施工が実現する。
【００１３】
本発明は、上記の種々の効果を選択的に発揮する新たなクロスフレーム構造体を用いた居室構造を提供することができたものである。
また、本発明は、クロスフレーム構造体を用いた居室構造を構成することができる斬新なアウターフレームを提供するものである。
【図面の簡単な説明】
【００１４】
【図１】本発明の実施の形態に係る居室構造を示す概念図。
【図２】（Ａ）同居室構造のアウターフレームの斜視図、（Ｂ）同居室構造の居室形成部材の斜視図、（Ｃ）同居室構造の斜視図。
【図３】（Ａ）同居室構造のアウターフレームの斜視図、（Ｂ）同居室構造の居室形成部材の変形例の斜視図、（Ｃ）同居室構造の変形例の斜視図。
【図４】（Ａ）同アウターフレームの天側の梁伏図、（Ｂ）同アウターフレームの床側の梁伏図。
【図５】（Ａ）同アウターフレームの正面及び背面図であって左半分は正面、右半分は背面を示す、（Ｂ）同アウターフレームの側面図。
【図６】（Ａ）同アウターフレームの天側の放射状接続部の平面図、（Ｂ）同アウターフレームの床側の放射状接続部の平面図、（Ｃ）同アウターフレームの床側の放射状接続部の正面図。
【図７】（Ａ）同アウターフレームの縦パイプの平面図、（Ｂ）同アウターフレームの縦パイプの変形例を示す平面図。
【発明を実施するための形態】
【００１５】
以下、図面に基づき本発明の実施の形態を説明する。
（全体構造）
この実施の形態に係る居室構造は、図１に示すように、アウターフレーム１１によって外縁が規定される内部空間１２に、居室１３が配置されたものである。アウターフレーム１１は、２つの矩形フレーム部２１を平面視Ｘ字状に組み合わせた形状に構成されたクロスフレーム構造体２２を構成する。居室１３は居室形成部材５１によって構成され、居室形成部材５１は図２及び図３に示すように、屋根パネル５２と床パネル５３とを備えるものであり、さらに必要に応じて図３に示すような壁パネル５４が用いられる。
【００１６】
この居室構造は、主として屋外に設置される小規模の建築物を構成するものであり、具体的な用途としては、売店、喫煙場、詰め所、駅やバス停留所などの待合室、海水浴場やプールの更衣室、トイレ、などを例示することができる。また、設置場所は特に限定はなく、駅構内などの大規模な室内空間に設置することもできる。
【００１７】
（アウターフレームについて）
アウターフレーム１１を構成するクロスフレーム構造体２２は、２つの矩形フレーム部２１を組み合わせたものとして理解される。各矩形フレーム部２１は、上側に配置される天側パイプ２３と、下側に配置される床側パイプ２４とが左右の縦パイプ２５で接続されたもので正面視長方形をなす。この長方形の矩形フレーム部２１が平面視Ｘ字状に組み合わされることによって、略立方体形状の内部空間１２が規定される。
【００１８】
なお、図２、図３に示すように、天側パイプ２３同士の間を補強フレーム２８で結んだり、床側パイプ２４同士の間を補強フレーム２８で結んだりして、その強度を高めてもよい。これらの補強フレーム２８は、平面視矩形を構成するように配置することもでき、他の形態に配置することもできるし、補強フレーム２８を用いずに実施することもできる。また、図１に示すように、天側パイプ２３の下方に屋根パネルを支持するための屋根支持部４３を設けることもできる。
【００１９】
（天側パイプについて）
次に、図４〜図７を参照して、より具体的なフレームの構造の一例について説明する。
図４（Ａ）に示すように、天側の構造は、４本の天側パイプ２３が放射状接続部３１で接続されているもであり、平面視で略Ｘ字状をなす。各天側パイプ２３は、鋼管製などの丸いパイプであり、一端が放射状接続部３１に接続され、他端が縦パイプ２５に接続されている。なお、各図中のＳはパイプの接続箇所を示す。
【００２０】
放射状接続部３１は、図６（Ａ）に示すように、中央部材３２と、中央部材３２から放射状に伸びる４本の主アーム３３を備える。中央部材３２と主アーム３３とは溶接などで予め一体に形成してもよく、別体のものをボルトなどで固定するようにしてもよい。また、主アーム３３同士の間の角度を調整可能としておくこともできる。
【００２１】
なお、放射状接続部３１を用いずに、天側パイプ２３として、１本の長いパイプの中間位置に、２本の短いパイプを溶接などで接続してＸ字状を構成するようにしてもよく、２本の長いパイプ同士を上下に配置して交差させることでＸ字状を構成するようにしてもよいが、部品の共通化を図ると共に同一平面上に各天側パイプ２３を配置することができる点で、図示のものが有利である。
【００２２】
（縦パイプについて）
図５（Ａ）（Ｂ）に示すように、縦パイプ２５は、直線上の縦部分の上下にコーナー部２６を配置した全体が略コ字状の鋼管製のパイプであり、その上端は水平に伸ばされて、先端が前記天側パイプ２３に接続される。コーナー部２６の下端も水平に伸ばされて、先端が次に説明する床側パイプ２４に接続される。
なお、部品の共通化を図る観点などから、縦パイプ２５の直線部分と、コーナー部２６とを別部品で構成することもできる。また、コーナー部２６を天側パイプ２３と一体に形成するようにし、縦パイプ２５を直線部分のみで構成するようにしてもよい。
【００２３】
（床側パイプについて）
図４（Ｂ）に示すように、床側の構造は、４本の床側パイプ２４が放射状接続部３１で接続されたものであり、平面視で略Ｘ字状をなす。各床側パイプ２４は、鋼管製などのパイプであり、一端が放射状接続部３１に接続され、他端が縦パイプ２５に接続されている。
【００２４】
放射状接続部３１は、図６（Ｂ）に示すように、中央部材３２と、中央部材３２から放射状に伸びる４本の主アーム３３を備える。中央部材３２と主アーム３３との間の溶接などの接続手段は前述の天側パイプ２３の場合の放射状接続部３１と同様である。また、放射状接続部３１を用いずに、実施することができる点でも前述の天側パイプ２３の場合と同様である。
【００２５】
天側と相違する点は、補強パイプ２７を配置することで、６本のパイプが中央から伸びる形態とした点である。これは、荷重がかかる床を強固に支持するために設けられたものであり、図１〜図３に示すように、省略して実施することもできる。逆に、補強パイプ２７の数を増やして４本にするなど、その本数の増減も可能である。さらに、補強パイプ２７を天側パイプ２３側にも配置して、強度アップを図ってもよい。
【００２６】
図６（Ｂ）の例では、２本の主アーム３３の間に補助受け部材３５を渡して、補助受け部材３５に固定腕３４を溶接などで固定したものであるが、固定腕３４を中央部材３２に直接固定するものであってもよい。
補強パイプ２７は、床側に設ければ足り、その先端には縦パイプ２５や天側パイプ２３を接続する必要はないが、補強パイプ２７に接続される縦パイプ２５や天側パイプ２３を付加して実施することを妨げるものではない。この例では、図４（Ｂ）に示すように、各床側パイプ２４間を補強フレーム２８で結んでおり、この補強フレーム２８に補強パイプ２７の先端が接続されている。
【００２７】
この床側パイプ２４の下側には、脚部４１が配置されることで設置面から空間を隔てて床側パイプ２４が配置されるようにすることが望ましく、脚部４１の下端には接地面積を大きくするためにベースプレート４２を配置して実施することも望ましい（図５、図７参照）。また図６（Ｃ）に示すように、脚部４１は、中央部材３２にも設けることができる。
【００２８】
以上のアウターフレーム１１を構成する各部は、丸パイプや角パイプやチャンネル材などを適宜選択して用いることができるが、クロスフレーム構造体２２を構成する天側パイプ２３、床側パイプ２４及び縦パイプ２５には、鋼管製の丸パイプを用いることが強度面で最も好ましい。また、補強パイプ２７、補強フレーム２８及び屋根支持部４３には、鋼管製の角パイプを用いることが、屋根パネル５２や床パネル５３の取り付けの観点から好ましい。
【００２９】
（居室について）
居室１３は、上述のアウターフレーム１１により規定される内部空間１２に配置される。この居室１３を構成する居室形成部材５１は、屋根パネル５２と床パネル５３とを含む種々のものを採用することができる。この例では、屋根パネル５２と床パネル５３とは同一形状（長方形）をなしているが、異なる形状のものを採用することもできる。また、内部空間１２から、屋根パネル５２又は床パネル５３の一部分や他の居室形成部材５１が、はみ出すことを排除するものではない。
【００３０】
（屋根パネル５２について）
屋根パネル５２は、１枚のプレート状の部材として実施することができるが、屋根と天井との２つの部材を用いることもできることは、一般の居室と同様である。
【００３１】
屋根パネル５２の取り付け構造としては、図２及び図３に示すように、屋根パネル５２を天側パイプ２３の下側に直接固定することもできるが、図４（Ａ）及び図５に示す例では、天側パイプ２３の下方に、屋根支持部４３を介して屋根パネル５２が取り付けられる。図４（Ａ）に示すように、屋根支持部４３は、平面視４角形をなすフレームによって構成され、その下面に屋根パネル５２をボルト等で固定することが施工性や雨仕舞の観点から好ましいが、屋根支持部４３の構成は屋根パネル５２を天側パイプ２３の下方に配置して取り付けるできることを条件に種々変更して実施することができる。また屋根支持部４３の素材や構造は適宜変更することができるが、４角形の各辺を角パイプやチャンネル材で形成するものを例示し得る。この屋根支持部４３は、吊り下げ部４４によって天側パイプ２３に吊り下げられる形態で固定されている。なお、屋根パネル５２は、屋根支持部４３の上側に固定することできる。また、屋根用のプレートを屋根支持部４３の上側に配置し、天井用のプレートを屋根支持部４３の下側に配置することもできる。
【００３２】
また、図５（Ａ）（Ｂ）に示すように、水勾配を考慮して、前後いずれか一方の吊り下げ部４４を長くし、他方を短くすることで、屋根支持部４３を傾斜させておくことも好ましい。
なお、この例では、吊り下げ部４４を縦パイプ２５の上側のコーナー部２６に取り付けたが、天側パイプ２３に取り付けるようにしてもよい。即ち、屋根パネル５２や屋根支持部４３は、天側パイプ２３の下方に配置されるが、屋根パネル５２や屋根支持部４３を直接支持するのは、天側パイプ２３であってもよく、縦パイプ２５であってもよい。屋根パネル５２の素材は、金属、合成樹脂、キャンバス地などの布など主事の素材用いることがきる。屋外に用いる場合には防水性が必要であるが、室内空間に配置する場合には、防水性は必須ではないなど、設置する条件や求められるデザインなどに応じて種々変更することができる。いずれの場合にも、構造物としての強度は、アウターフレーム１１によって主として確保されると共に、屋根パネル５２が天側パイプ２３の下方に配置されるため、居室１３の内部空間をデザインする上でアウターフレーム１１を考慮する必要がなくなり、屋根パネル５２の設計の自由度を高めることができる。
【００３３】
（床パネルについて）
床パネル５３は、１枚又は複数枚のプレート状の部材として実施することができ、床としての強度を有するものであればその素材や形状や構造は種々変更して実施することができる。
【００３４】
床パネル５３は、床側パイプ２４及び床側パイプ２４と同一平面上に配置される補強パイプ２７の上に直接載置すればよい。言い換えれば、床側パイプ２４及び補強パイプ２７の上面が床支持部を構成するものとなるが、床パネル５３と床側パイプ２４との間にスペーサ等を介在させるようにしてもよい。
【００３５】
（壁パネルについて）
本発明は、図２に示すように、屋根パネル５２と床パネル５３で居室１３を構成するものとして実施することができるが、図３に示すように、必要に応じて壁パネル５４を用いることもできる。例えば、開放的な雰囲気を演出する売店や、簡単なバス停として利用する場合には、壁パネル５４を用いずに実施することができるし、逆に厳しい気候の地域では全周面に壁パネル５４を設けて密閉性を高めるようにしてもよい。また、屋根パネル５２及び床パネル５３の半分の面積のみに壁パネル５４を設けるようにしてもよく、居室の用途や求められる機能やデザインに応じて種々変更することができる。
【００３６】
また、出入り口のドアや窓なども必要に応じて設けることができ、全面ガラス張りの壁パネル５４を採用することもできる。本発明では、屋根パネル５２は天側パイプ２３の下側にて、天側パイプ２３又は縦パイプ２５によって支持されているため、床パネル５３によって屋根パネル５２を支える必要がない。従って、床パネル５３の設計の自由度は極めて高いものであり、床パネル５３の天地を屋根パネル５２と床パネル５３との双方に固定することもできるが、何れか一方のみに支持させるようにしてもよい。
【００３７】
なお、壁パネル５４を屋根パネル５２に固定する場合には、屋根パネル５２の下面に壁パネル５４の上端面を当接させるようにし、壁パネル５４を床パネル５３に固定する場合には、壁パネル５４の下部内面に床パネル５３の端面を当接させるようにする方が雨仕舞の点で好ましい。
【００３８】
（施工）
施工に際しては、アウターフレーム１１を構成する各部材を現地で組み立てることもできるが、半組立状態までを工場内で行っておくようにしてもよい。次に、組み立てられたアウターフレーム１１に対して、屋根パネル５２と床パネル５３とを取り付ける。最後に、屋根パネル５２と床パネル５３との間に、壁パネル５４を配置固定すればよい。
【００３９】
なお、屋根パネル５２と床パネル５３との間に壁パネル５４を固定した完成状態の居室１３を、アウターフレーム１１の内部空間１２に搬入することを妨げるものではない。
【符号の説明】
【００４０】
１１  アウターフレーム
１２  内部空間
１３  居室
２１  矩形フレーム部
２２  クロスフレーム構造体
２３  天側パイプ
２４  床側パイプ
２５  縦パイプ
２６  コーナー部
２７  補強パイプ
２８  補強フレーム
３１  放射状接続部
３２  中央部材
３３  主アーム
３４  固定腕
３５  補助受け部材
４１  脚部
４２  ベースプレート
４３  屋根支持部
４４  吊り下げ部
５１  居室形成部材
５２  屋根パネル
５３  床パネル
５４  壁パネル
【図２】
2016180265.tif 000003
【図３】
2016180265.tif 000004
【図４】
2016180265.tif 000005
【図５】
2016180265.tif 000006
【図６】
2016180265.tif 000007
【図７】
2016180265.tif 000008
【図１】
2016180265.tif 000009